(57)【要約】【課題】任意サイズの原稿を所定サイズの転写用紙に合わせて変倍する。【解決手段】デジタル複写機は、スキャナ４により原稿台に載置された任意サイズの原稿の主走査方向及び副走査方向の長さデータを取得する。またユーザーにより指定された転写用紙の主走査方向及び副走査方向の長さデータを取得する。画像処理部７の比率算出手段により原稿と転写用紙の主走査方向長さデータの比及び、原稿と転写用紙の副走査方向長さデータの比を算出する。ＣＰＵ１は、前記算出した比がそれぞれ１か否かを判断する。ＣＰＵ１が１でないと判断したとき、画像処理部７の変倍手段は、転写用紙の主走査方向及び副走査方向の長さデータに合致するように、原稿の主走査方向及び副走査方向の長さデータを変倍する。【選択図】　図１
2004072370.tif 000002
【特許請求の範囲】
【請求項１】
任意のサイズの原稿を読み取り、所定のサイズの転写材に合わせて変倍する画像形成装置において、原稿の主走査方向及び副走査方向の長さデータを取得する手段と、転写材の主走査方向及び副走査方向の長さデータを取得する手段と、原稿と転写材の主走査方向の長さデータの比及び、原稿と転写材の副走査方向の長さデータの比を算出する手段と、前記算出した比がそれぞれ１か否かを判断する手段と、該手段が１でないと判断したとき、転写材の主走査方向及び副走査方向の長さデータに合致するように、原稿の主走査方向及び副走査方向の長さデータを変倍する手段を備えたことを特徴とする画像形成装置。
【請求項２】
請求項１記載の画像形成装置において、前記比が１でないと判断したとき、警告を発する手段を備えたことを特徴とする画像形成装置。
【請求項３】
原稿のサイズを転写材のサイズに合わせて変倍処理する手順を画像形成装置のコンピュータに実行させるためのプログラムであって、原稿の主走査方向及び副走査方向の長さデータ及び転写材の主走査方向及び副走査方向の長さデータに基いて、原稿と転写材の主走査方向の長さデータの比及び、原稿と転写材の副走査方向の長さデータの比を算出するための処理手順と、前記算出した比がそれぞれ１か否かを判断するための処理手順と、該処理手順において前記比が１でないと判断されたとき、転写材の主走査方向及び副走査方向の長さデータに合致するように原稿の主走査方向及び副走査方向の長さデータを変倍するための処理手順を画像形成装置のコンピュータに実行させるためのプログラム。
【請求項４】
請求項３記載のプログラムを記録したコンピュータ読み取り可能な記録媒体。
【発明の詳細な説明】
【０００１】
【発明の属する技術分野】
本発明は、日本工業規格（ＪＩＳ）サイズ、インチ系サイズ、及び不定形サイズ等異なるサイズの原稿及び転写用紙が使用されるとき、原稿のサイズを転写用紙のサイズに合わせて変倍処理する画像形成装置、画像処理プログラム、及び記録媒体に関する。
【０００２】
【従来の技術】
事務用紙、雑誌、書籍等のサイズを表すのに用いられる寸法は、日本においてはＪＩＳによりＡ列系サイズとＢ列系サイズとして規格化されたものがある。
ＪＩＳ規格によるＡ列０番の寸法は、面積１ｍ２を、縦：横＝１：√２とし、Ａ列１番の寸法はその長辺を１／２とし、以下、番手が下がる毎に順次その長辺が半切された寸法となる。また、Ｂ列０番の寸法は、面積１．５ｍ２を、縦：横＝１：√２とし、Ｂ列１番の寸法はその長辺を１／２とし、以下同様に番手が下がる毎に順次その長辺が半切する。日本では、専ら前記Ａ列又はＢ列系（以下、Ａ／Ｂ系と略称）サイズが使用されるが、外国ではインチ系が使用されることがある。
【０００３】
デジタル複写機で使用される原稿サイズ、及び転写用紙のサイズは、Ａ／Ｂ系及びインチ系等さまざまであるが、これらＡ／Ｂ系及びインチ系に属しない不定形サイズが使用されることも多い。
【０００４】
このようにサイズが色々異なる原稿及び転写用紙に対処するために、デジタル複写機においては、複写機の原稿台に原稿がセットされると、その原稿サイズを取得し、ユーザーにより予め指定された転写用紙サイズに合わせて変倍することが行われている（特開平７−１９９７４２号公報参照）。
【０００５】
このとき、転写用紙を列及び番手毎の用紙トレイに有するデジタル複写機においては、変倍率は、Ａ列及びＢ列の番手間で、又はＡ列とＢ列間、Ｂ列とＡ列間の番手間で、変倍率テーブル中に用意し、例えば、ユーザーがＢ４サイズの転写用紙を指定しているとき、検出された原稿サイズがＡ４サイズであれば、読み取り画像がＢ４サイズに合うように変倍率テーブルの当該変倍率を呼び出し、この変倍率により拡大処理される。また、ユーザーがＡ４サイズを指定しているとき、検出された原稿サイズがＢ４であれば、同様に読み取り画像がＡ４サイズに合うように縮小処理される。
【０００６】
しかしながら、ａ）インチ系サイズ同士の原稿と転写用紙、ｂ）インチ系サイズの原稿とＡ／Ｂ系サイズの転写用紙、ｃ）Ａ／Ｂ系サイズの原稿とインチ系サイズの転写用紙、ｄ）不定形サイズの原稿と、Ａ／Ｂ系サイズ又はインチ系サイズの転写用紙、の組み合わせの場合には変倍率テーブルは用意されていない、又は用意することができないために、ユーザーは原稿サイズと転写用紙サイズとの変倍率を計算し、計算した変倍率で複写を行わなければならなかった。
【０００７】
また、昨今、Ａ／Ｂ系等の所定のサイズにカットした所謂カット紙に加え、長尺のロール紙を使用する広幅デジタル複写機が開発されている。通常、広幅デジタル複写機は、長尺ロール紙のロール紙幅にＡ／Ｂ系サイズ又はインチ系サイズのものが使用可能である。このため、前記したカット紙におけるＡ／Ｂ系サイズの原稿とインチ系サイズの転写用紙等と同様のサイズの組み合わせ関係が生じる。また広幅デジタル複写機は、定寸カット機能やフリーカット機能を備えており、フリーカット機能によりロール紙長が任意のサイズにカットされるような場合は、更に、ｅ）Ａ／Ｂ系又はインチ系又は不定形サイズの原稿と任意にカットされたロール紙長の転写用紙とのサイズの組み合わせ関係が生じ、この関係の変倍率テーブルは用意できないので、ユーザーは複写に際し変倍率の計算を行わなければならなかった。
【０００８】
このように、デジタル複写機によって複写を行う際に、ユーザーは、原稿サイズと使用する転写用紙が所定サイズの組み合わせ関係、例えば、Ａ／Ｂ系サイズ同士の組み合わせ関係になっていない場合には、複写作業の都度、変倍率の計算を行わなければならないという問題があった。
【０００９】
【発明が解決しようとする課題】
本発明は、上述のような問題に鑑みてなされたもので、その第１の目的は、任意サイズの原稿を所定サイズの転写材に変倍して複写する際に、ユーザーが原稿サイズと転写材のサイズに基き変倍率を計算して複写をしなくてもよいようにすることであり、第２の目的は、余白や複写画像の欠けのない複写物を得るようにすることであり、また第３の目的は、変倍して複写した結果、余白や複写画像の欠けが発生する場合には、余白や複写画像の欠けの発生をユーザーに報知することである。
【００１０】
【課題を解決するための手段】
請求項１の発明は、任意のサイズの原稿を読み取り、所定のサイズの転写材に合わせて変倍する画像形成装置において、原稿の主走査方向及び副走査方向の長さデータを取得する手段と、転写材の主走査方向及び副走査方向の長さデータを取得する手段と、原稿と転写材の主走査方向の長さデータの比及び、原稿と転写材の副走査方向の長さデータの比を算出する手段と、前記算出した比がそれぞれ１か否かを判断する手段と、該手段が１でないと判断したとき、転写材の主走査方向及び副走査方向の長さデータに合致するように、原稿の主走査方向及び副走査方向の長さデータを変倍する手段を備えたことを特徴とする画像形成装置である。
【００１１】
請求項２の発明は、請求項１記載の画像形成装置において、前記比が１でないと判断したとき、警告を発する手段を備えたことを特徴とする画像形成装置である。
【００１２】
請求項３の発明は、原稿のサイズを転写材のサイズに合わせて変倍処理する手順を画像形成装置のコンピュータに実行させるためのプログラムであって、原稿の主走査方向及び副走査方向の長さデータ及び転写材の主走査方向及び副走査方向の長さデータに基いて、原稿と転写材の主走査方向の長さデータの比及び、原稿と転写材の副走査方向の長さデータの比を算出するための処理手順と、前記算出した比がそれぞれ１か否かを判断するための処理手順と、該処理手順において前記比が１でないと判断されたとき、転写材の主走査方向及び副走査方向の長さデータに合致するように原稿の主走査方向及び副走査方向の長さデータを変倍するための処理手順を画像形成装置のコンピュータに実行させるためのプログラムである。
【００１３】
請求項４の発明は、請求項３記載のプログラムを記録したコンピュータ読み取り可能な記録媒体である。
【００１４】
【発明の実施の形態】
以下、本発明の実施形態について説明する。
図１は、本発明を実施するためのデジタル複写機の要部概略ブロック図であり、図中、ＣＰＵ１は、デジタル複写機の中央処理装置、ＲＯＭ２は、デジタル複写機全体を制御するプログラム及び、後述する原稿サイズ及び転写用紙のサイズに基いて画像を変倍処理するプログラム等を格納する記憶装置、ＲＡＭ３は、後述するスキャナ４で読み取られた原稿画像及び検知された原稿サイズ、並びに指定され転写用紙のサイズを一時的に記憶する記憶装置である。
【００１５】
スキャナ４は、原稿の主走査長及び副走査長の検出と主走査方向と副走査方向に所定の解像度でドット単位に読み取りを行う装置、プロッタ５は、不図示の帯電装置、露光装置、現像装置、転写装置、定着装置等からなる電子写真方式の複写装置、エンジンＩ／Ｏ６は、スキャナ４が読み取った原稿画像をＲＡＭ３に出力し、後述する画像処理部７で変倍処理された原稿画像をプロッタ５に出力する入出力装置である。
【００１６】
画像処理部７は、スキャナ４で読み取られた原稿画像に対してガンマ補正や変倍処理等を行う処理部である。操作キー８は、不図示の液晶型タッチタイプの操作キー、表示パネル９は、液晶又は発光ダイオード（ＬＥＤ）型の表示部であり、操作部Ｉ／Ｆ１０は、操作キー８及び表示パネル９と他の各種装置とのインタフェースをとる装置であり、前記した各種装置はバス１１により相互に連結している。
【００１７】
なお、図示を省略しているが、デジタル複写機は、Ａ／Ｂ系及び・又はインチ系の各種サイズのカット紙を収納した用紙トレイ及び各種サイズのロール紙を取付け可能にした給紙部を備えている。
【００１８】
前記の構成になるデジタル複写機にて複写を行う動作について説明する。
図示しない原稿をデジタル複写機の原稿読取台に載置し、操作キー８から転写用紙のサイズ、複写部数等を指示して複写の指示を行うと、スキャナ４は原稿を走査し、原稿サイズの検知と原稿画像の読み取りを行う。検知された原稿サイズ及び原稿画像は一旦ＲＡＭ３に記憶される。ＲＡＭ３に記憶された原稿画像は、ＲＯＭ２に格納されＲＡＭ３に展開された画像処理プログラムに従って画像処理部７にてＣＰＵ１により変倍処理を含む所定の画像処理が行われる。画像処理された原稿画像は、エンジンＩ／Ｏ６を介してプロッタ５に渡され、プロッタ５にて周知の電子写真方式によって指示されたサイズの転写用紙に印刷される。
【００１９】
デジタル複写機は、画像処理の過程において、読み取った原稿画像を、ユーザーにより指定された転写用紙のサイズとスキャナ４で検知した原稿サイズに基き、本発明に係る変倍処理の手法に従って画像処理する。即ち、デジタル複写機は、まずスキャナ４で検知された原稿の主走査方向の長さデータ及び副走査方向の長さデータの他、指定された転写用紙のサイズから転写用紙の主走査方向の長さデータ及び副走査方向の長さデータを取得する。これら長さデータは、画像処理部７の不図示の比率計算手段に導入され、原稿と転写用紙の主走査方向の長さデータの比及び、原稿と転写用紙の副走査方向の長さデータの比が算出される。ＣＰＵ１は、算出された比がそれぞれ１か否かを判断し、それぞれ１でないと判断したとき、画像処理部７の変倍手段により前記比が１となるように原稿の主走査方向及び副走査方向の長さデータを変倍する。前記比が１でないと判断したときは、表示パネル９に警告を発する。この警告に従ってユーザーは、余白や画像欠けの発生を感知する。
【００２０】
図２は、本発明に係る変倍処理による画像処理のフローを示す図である。
図２を参照してこの処理を説明する。
デジタル複写機の電源がＯＮされると、デジタル複写機は複写待機状態へ移行し（Ｓ１）、ここでユーザーの複写指示を待つ。ユーザーが操作キー８により複写を指示すると、ＣＰＵ１は、ユーザーが長尺ロール紙を指定したか否かを判断し（Ｓ２）、長尺ロール紙を指定していない場合（Ｓ２，ＮＯ）、カット紙を指定したか否かを判断し（Ｓ３）、カット紙を指定したと判断した場合（Ｓ３，ＹＥＳ）、指定されたカット紙の主走査幅データと副走査長データをＲＡＭ３の用紙サイズメモリ部Ｍ１に記憶する（Ｓ６）。カット紙を指定したと判断しなかった場合（Ｓ３，ＮＯ）、再度長尺ロール紙を指定したか否かのステップＳ２にリターンしてこの処理を繰り返す。
【００２１】
長尺ロール紙を指定した場合（Ｓ２，ＹＥＳ）は、更に定寸カット値の設定か否かを判断し（Ｓ４）、定寸カット値の設定の場合（Ｓ４，ＹＥＳ）、長尺ロール紙のロール紙幅、定寸カット設定値を、それぞれロール紙の主走査幅データ、副走査長データとしてＲＡＭ３の用紙サイズメモリ部Ｍ１に記憶する（Ｓ６）。
定寸カット値の設定でない場合は（Ｓ４，ＮＯ）、フリーカット値の設定か否かを判断する（Ｓ５）。フリーカット値の設定の場合（Ｓ５，ＹＥＳ）、長尺ロール紙のロール紙幅、フリーカット設定値を、それぞれロール紙の主走査幅データ、副走査長データとしてＲＡＭ３の用紙サイズメモリ部Ｍ１に記憶する（Ｓ６）。フリーカット値の設定でない場合は（Ｓ５，ＮＯ）、再度長尺ロール紙を指定したか否かのステップＳ２にリターンしてこの処理を繰り返す。
【００２２】
カット紙サイズ又は定寸カット値又はフリーカット値が用紙サイズメモリ部Ｍ１に記憶されると、ＣＰＵ１は、スキャナ４が原稿挿入センサ（不図示）により原稿検知を、又は操作キー８の操作により原稿読み取りを開始したか否かを判断する（Ｓ７）。原稿読み取りを開始していないときは（Ｓ７，ＮＯ）、長尺ロール紙の指定にリターンし、原稿読み取りを開始したときは（Ｓ７，ＹＥＳ）、原稿サイズを検知したか否かを判断する（Ｓ８）。原稿サイズを検知したときは（Ｓ８，ＹＥＳ）、その主走査幅データと副走査長データをＲＡＭ３の原稿サイズメモリ部Ｍ２に記憶する（Ｓ９）。
【００２３】
そして更に読み取った原稿の画情報をデジタル情報としてＲＡＭ３の画情報メモリ部Ｍ３に書き込む（Ｓ１０）。なお、画情報メモリ部Ｍ３にはページメモリとして使用されるＤＲＡＭが使用される。
【００２４】
次にＣＰＵ１は、用紙サイズメモリ部Ｍ１から転写用紙の主走査幅データを読み出し、原稿サイズメモリ部Ｍ２から原稿の主走査幅データを読み出し、（原稿の主走査幅データｂ１）／（用紙の主走査幅データａ１）式により主走査側変倍率Ａを、また同様に転写用紙の副走査長データと原稿の副走査長データを読み出し、（原稿の副走査長データｂ２）／（用紙の副走査長データａ２）式により副走査側変倍率Ｂを、それぞれ画像処理部７の比率計算手段にて算出する（Ｓ１１）。算出した主走査側変倍率Ａ及び副走査側変倍率Ｂは、後述するようにａ／ｂ＞１又はａ／ｂ＜１のとき、液晶型の表示パネル９に表示するか、所定のＬＥＤを点灯させるなどしてユーザーに警告する（Ｓ１２）。
【００２５】
ここで、算出された主走査側変倍率Ａ及び副走査側変倍率Ｂに基き転写用紙に余白や形成される画像に画像欠けが発生するか否かチェックする。
余白や画像欠けの発生は、転写用紙及び原稿のそれぞれ主走査幅データ及び副走査長データは変数であるから変数比較により、つまりａ／ｂ＝１であれば余白及び画像欠けはなく、ａ／ｂ＞１なら余白があり、ａ／ｂ＜１なら画像欠けがあるとしてチェックすることができる。
【００２６】
このチェックは、ＣＰＵ１による判断、即ちＣＰＵ１は変倍率を変更するか否かとしてａ／ｂ＝１か否かを判断する（Ｓ１３）。ａ／ｂ＝１でなくて変倍率を変更するときは（Ｓ１３，ＹＥＳ）、原稿側の変数ｂを変えて（Ｓ１４）、処理ステップＳ１２に戻り、再度、主走査側変倍率Ａ及び副走査側変倍率Ｂを算出する。
【００２７】
ａ／ｂ＝１となって変倍率を変更しない場合（Ｓ１３，ＮＯ）、画情報メモリ部Ｍ３に書き込んだ画情報を読み出して前記算出した変倍率で変倍処理、つまり画情報の拡大、縮小を行い、変倍処理された画情報は再び画情報メモリ部Ｍ３に書き込む（Ｓ１５）。その後、コピーを開始するか否かを判断する（Ｓ１６）。ユーザーからコピー開始が指示され、コピー開始と判断した場合（Ｓ１６，ＹＥＳ）、コピー処理を実行し（Ｓ１７）、コピー処理の終了後、このルーチンの待機状態（Ｓ１）にリターンする。
【００２８】
前記処理フローにおいて、変倍処理による余白や画像欠けが発生するか否かのチェックは、ＣＰＵ１により自動的に行われ、自動的に変数ｂを変化させ、変倍率を変更したが、液晶型表示パネル９に主走査側変倍率Ａ及び副走査側変倍率Ｂを数値表示し、操作キー８からの入力により変数ｂを変化させてもよい。
【００２９】
この処理の原理は、画情報をビットマップデータとして例えば７０％縮小ならデータ画素１００ｂｉｔから等間隔に３０ｂｉｔを間引き、１２０％拡大であればデータ画素１００ｂｉｔに等間隔に２０ｂｉｔのコピー画素を追加するものである。縮小及び拡大時には画像に、不自然さを軽減し滑らかな画質を実現するスムージングを用いるのも効果的である。
【００３０】
本実施形態によれば、サイズが色々異なる原稿に対して所定サイズの転写用紙が選択されて使用されるデジタル複写機において、例えば、インチ系サイズの原稿とＡ／Ｂ系サイズの転写用紙サイズのようにサイズが異なる場合、変倍率を計算することなく、余白や画像欠けのない複写を行うことができる。また変倍処理により余白や画像欠け等が生じる場合には、変倍された画像が縦横方向で大きく変形する可能性があるが、表示パネルに警告がなされるので、ユーザーは警告を感知することにより、指定した転写用紙を変更するなどして変形を抑えた複写物を得ることができる。
【００３１】
以上、任意のサイズの原稿を読み取り、所定サイズの転写用紙に合わせて変倍して複写する際に、原稿の主走査方向及び副走査方向の長さデータ及び転写材の主走査方向及び副走査方向の長さデータに基いて、原稿と転写材の主走査方向の長さデータの比及び、原稿と転写材の副走査方向の長さデータの比を算出し、前記算出した比がそれぞれ１か否かを判断し、前記比が１でないと判断されたとき、前記比が１でないことを警告し、また前記比が１でないと判断されたとき、転写材の主走査方向及び副走査方向の長さデータに合致するように原稿の主走査方向及び副走査方向の長さデータを変倍する処理の手順について説明したが、この処理の手順を実行するために、コンピュータに命令する手順を周知のプログラム言語で記述し、プログラムを作成する。そして、このプログラムをＣＤ−ＲＯＭ、ＤＶＤ−ＲＯＭ、フレキシブルディスク等の周知のコンピュータ読み取り可能な記録媒体に記録する。従って、画像形成装置のコンピュータに前記記録媒体から直接、又はネットワーク、ＬＡＮ等の通信回線を介してプログラムをダウンロードすることで、以上述べた原稿のサイズを転写用紙のサイズに合わせて変倍する処理を自動的に行うことができる。
【００３２】
【発明の効果】
請求項１に対応する効果：　任意サイズの原稿を読み取り、所定サイズの転写材に変倍して複写する際に、ユーザーが原稿サイズと転写材のサイズに基いて変倍率を計算することなく余白や複写画像の欠けのない複写物を得ることができる。
請求項２に対応する効果：　原稿サイズと転写材サイズの関係によっては、変倍された原稿画像の形が大きく変形する可能性があるが、ユーザーは、警告によりこれを感知できるので、原稿画像の形が変形し過ぎると考えるときは、他のサイズの転写材を選択するなどして変形を抑えた原稿画像の形成を行うことができる。
請求項３，４に対応する効果：　画像形成装置のコンピュータにおいて、本発明に係る変倍処理による画像処理を容易に実施することができる。
【図面の簡単な説明】
【図１】本発明を実施するためのデジタル複写機の要部概略ブロック図である。
【図２】本発明に係る変倍処理による画像処理のフローを示す図である。
【符号の説明】
１・・・・ＣＰＵ、２・・・・ＲＯＭ、３・・・・ＲＡＭ、４・・・・スキャナ、５・・・・プロッタ、６・・・・エンジンＩ／Ｏ、７・・・・画像処理部、８・・・・操作キー、９・・・・表示パネル、１０・・・・操作部Ｉ／Ｆ、１１・・・・バス
【図１】
2004072370.tif 000003
【図２】
2004072370.tif 000004